(57)【特許請求の範囲】
【請求項１】
対向面同士を対向させて互いに平行に配置された基台または架台のいずれか一方に、前記基台および前記架台に発生する振動を吸収するための吸振体が設けられ、この吸振体に、前記基台または前記架台のいずれか一方の対向面に嵌合するとともにその対向面に沿った方向の振動を吸収するための弾性変形自在なくびれ部が設けられ、このくびれ部の両側に、前記基台また前記は架台をその両面側から挟み込むように配置されるとともにその対向面に鉛直な方向の振動を吸収するための弾性変形自在な拡大部が設けられ、前記吸振体に、端部が前記基台または前記架台のうちの他方の対向面に嵌合されるとともに吸振用隙間を介して軸体が挿通され、前記拡大部の内周面に前記軸体の外周面を摺動する突起が設けられており、
前記突起は前記軸体の外周面に当接して設けられることにより、前記基台および前記架台の対向面に沿った水平方向の振動に対してはその移動を最小限に抑え、前記軸体の軸心方向に沿った振動に対しては前記軸心方向に撓んで振動を吸収し、さらに前記吸振体の弾性変形により前記拡大部が拡径して当該突起は前記軸体の外周面から離れる方向に移動することにより、前記軸体との摩擦力が働かなくなることを特徴とする振動吸収装置。
【請求項２】
前記突起が、前記軸体の軸心方向に対して放射状に複数個配置されたことを特徴とする請求項１記載の振動吸収装置。
【請求項３】
前記突起が、前記軸体を外嵌する環状に形成されたことを特徴とする請求項１記載の振動吸収装置。
【発明の詳細な説明】
【０００１】
【発明の属する技術分野】
本発明は、例えば、コンパクトディスクを再生または記録する光ディスク装置等の精密機器において、光ピックアップ等の精密部品を搭載する架台および基台との間に設けて、架台および基台に発生する振動を吸収するための振動吸収装置に関するものである。
【０００２】
【従来の技術】
一般に、コンパクトディスクを再生または記録する光ディスク装置では、微妙な振動が音飛びの原因になるため、光ピックアップを搭載する架台と、この架台の基台との相互の振動の伝達を遮断もしくは軽減する必要がある。このため、架台と基台の支持部にゴム等の吸振体を有する振動吸収装置が用いられている。この振動吸収装置を用いたフローティング装置を、図４ないし図７に示す。
【０００３】
図において、１は光ピックアップ３を搭載した架台であり、保持部（孔）１ａに前記吸振体２を取付け、保持している。４は基台であり、軸部５ａを有する規制部材５を取付け可能な取付け部４ａを設けており、規制部材５の軸部５ａを、前記吸振体２の中空部２１を貫通させて取付け部４ａに固定し、規制部材５の鍔状の係合部５ｃが弾性変形部２３に載置されている。
【０００４】
また、吸振体２の外周において、基台４と架台１の間にコイルバネ６を介在させ、吸振体２の弾性とともにこのコイルバネ６の弾性により架台１を基台４に対して所定の位置に保持する構成としている。
【０００５】
ところで、図５に示すように、前記吸振体２は、規制部材５が貫通する中空部２１と、前記保持部１ａに嵌合される環状溝を有する取付け部２０と、拡径して形成されて取付け部２０の上下に配置した弾性変形部２３，２４とを有している。また、取付け部２０の内周には、架台１が基台４に対して水平方向に大きく移動した時に、軸部５ａに当接して移動量を規制する移動規制部２５を形成している。
【０００６】
また、前記弾性変形部２３の端部２３ａの内径は軸部５ａの外径よりも可なり大きくなるように形成し、弾性変形部２４の端部２４ａ内周面が軸部５ａに摺接するよう形成している。
【０００７】
そして、軸部５ａと端部２４ａとの上記嵌合関係は、水平方向の振動を軽減しながらかつ垂直方向へ移動可能に設定しており、振動により架台１と基台４の間に相対的な動きが生じた場合、例えば、架台１に発生した基台４に対する垂直方向の振動については、吸振体２の弾性変形部２３，２４及びコイルバネ６が弾性変形することで、その振動を遮断もしくは軽減する。また、基台４に対する水平方向の振動については、図７に示すように、弾性変形部２４の取付け部２０および端部２４ａが変形することにより遮断もしくは軽減し、コンパクトディスクの再生及び記録時の音飛びを排除もしくは軽減するようにしている。
【０００８】
【発明が解決しようとする課題】
ところで、近年コンパクトディスクの高速再生が望まれている。そして、ディスクを高速で回転させると、ディスク等の偏荷重の影響で架台１が基台４に対して平行方向に通常速再生時よりも大きく振動する現象が生じる。
【０００９】
ところで、上記従来のフローティング装置における振動吸収装置は、弾性変形部２４の端部２４ａの内径は、軸部５ａの外径とほぼ同等に形成して接触しており、また、吸振体２はゴム等によって形成されて摩擦係数が大きいので、ディスクを高速で回転させた状態では、軸部５ａと吸振体２の接触面の摺動負荷が大きくなり、架台１の基台４に対する水平方向の移動を抑えることができず、振動の吸収が十分に行えなくなり、基台４に対して架台１の相対的な位置が不安定になり、コンパクトディスクの再生及び記録時の音飛びを排除もしくは軽減することができなくなる。
【００１０】
以上の点は、偏荷重の大きなコンパクトディスクを高速再生した場合に特に顕著で、図７に示すように、弾性変形部２４の端部２４ａでは、水平方向の移動を抑えきれず、移動規制部２５が軸部５ａに当接する位置まで基台４に対して架台１が水平方向に移動してしまい、コンパクトディスクの高速再生時に音飛び、異音が発生してしまう。
【００１１】
そこで、本発明は、偏荷重の大きなコンパクトディスクを高速再生した場合であっても、架台あるいは基台の水平方向の移動を最小に抑えて、音飛び、異音の発生を防止し得る振動吸収装置の提供を目的とする。
【００１２】
【課題を解決するための手段】
本発明における課題解決手段は、対向面同士を対向させて互いに平行に配置された基台または架台のいずれか一方に、前記基台および前記架台に発生する振動を吸収するための吸振体が設けられ、この吸振体に、前記基台または前記架台のいずれか一方の対向面に嵌合するとともにその対向面に沿った方向の振動を吸収するための弾性変形自在なくびれ部が設けられ、このくびれ部の両側に、前記基台また前記は架台をその両面側から挟み込むように配置されるとともにその対向面に鉛直な方向の振動を吸収するための弾性変形自在な拡大部が設けられ、前記吸振体に、端部が前記基台または前記架台のうちの他方の対向面に嵌合されるとともに吸振用隙間を介して軸体が挿通され、前記拡大部の内周面に前記軸体の外周面を摺動する突起が設けられており、前記突起は前記軸体の外周面に当接して設けられることにより、前記基台および前記架台の対向面に沿った水平方向の振動に対してはその移動を最小限に抑え、前記軸体の軸心方向に沿った振動に対しては前記軸心方向に撓んで振動を吸収し、さらに前記吸振体の弾性変形により前記拡大部が拡径して当該突起は前記軸体の外周面から離れる方向に移動することにより、前記軸体との摩擦力が働かなくなることを特徴とする。
【００１３】
そして、この突起は、軸体の軸心方向に対して放射状に複数個配置されるか、あるいは、軸体を外嵌する環状に形成されている。
上記構成によれば、高速再生時の基台と架台の対向面に沿った方向の振動は、突起が軸体の周面に当接することで最小限に抑えられ、また、突起が軸体の周面に当接して軸体の軸心方向に撓むこと、および拡大部が弾性変形することによって、基台と架台の、軸体の軸心方向に沿った振動が吸収される。
【００１４】
【発明の実施の形態】
以下、本発明の実施の形態に係る振動吸収装置を、図１の全体構成を示す断面図、図２の要部断面図、および図３の作動図に基づいて説明する。また、本発明の実施の形態に係る振動吸収装置は、例えば、図４で示した光ディスク装置のフローティング装置に用いられるものである。
【００１５】
図１において吸振体２は、規制部材５を挿通するための中空部（吸振用隙間）１２を有し、架台１に形成した保持孔１ａに嵌合する取付け部（くびれ部）１１と、その上下に一体的に形成されて架台１をその両面側から挟み込む一対の弾性変形部（拡大部）１４，１５とから構成され、各弾性変形部１４，１５の外周径は、架台１に設けた保持孔１ａの径より大きく形成されている。
【００１６】
また、吸振体２に規制部材５を挿通しており、この規制部材５は、一方（上側）の弾性変形部１４に載置される鍔状の係合部５ｃと、吸振体２を挿通する軸部５ａとから構成しており、軸部５ａの先端に小径軸部５ｂを形成し、この小径軸部５ｂが、架台１に対向面同士を向かい合わせて平行に配置した基台４に形成した取付け部４ａに嵌合されている。
【００１７】
また、一方の弾性変形部１４の端部１４ａの内径は、軸部５ａの外径よりも可なり大きく形成され、他方の弾性変形部１５の端部１５ａの内径は、軸部５ａの外径とほぼ等しく形成されている。
【００１８】
吸振体２の双方の弾性変形部１４，１５の内周面に、軸部５ａの軸心に対する放射方向で所定間隔置きにゴム製の突片１７が複数個形成され、これら突片１７の先端と軸部５ａの周面との間に規制部材５の軸部５ａの外周面を摺動面として最小のクリアランスｄを有している。
【００１９】
また、架台１と基台４の間に、架台１と基台４とを互いに離反させる方向、すなわち、軸部５ａの軸心方向に離反させる方向に付勢するコイルバネ６が介装され、前記規制部材５の係合部５ｃに、吸振体２の一方の弾性変形部１４の端部１４ａが当接し、架台１と基台４の間に配置したコイルバネ６と架台１の重量がバランスすることにより、基台４と架台１の間隔を一定に保っている。
【００２０】
以上のように構成された振動吸収装置において、以下その動作を説明する。まず、架台１あるいは基台４に外部より微妙な振動が加わると、基台４と架台１との間に相対的な動きが生じ、架台１の垂直方向の振動に対しては吸振体２の弾性変形部１４，１５およびコイルバネ６が変形してその振動を吸収する。
【００２１】
このとき、規制部材５の軸部５ａは、基台１の振動に伴って微量の動きを生じるため、軸部５ａと突片１７の先端とが擦れ合う。しかし、突片１７は弾性を有しているので、軸部５ａと突片１７の先端とが擦れ合った際に軸部５ａの軸心方向、すなわち、突片１７がスラスト方向に沿って撓み、架台１の、軸体５ａに沿った方向の振動が吸収される。また、架台１と基台４との間の水平方向の移動に対しては、軸部５ａの周面と突片１７のあいだのクリアランスｄを最小に設定しているので、突片１７の先端部が軸部５ａの外周面に当接することで、基台４と架台１との間の水平方向の移動量（対向面に沿った方向の振動量）は最小限に規制される。
【００２２】
また、架台１が軸部５ａの軸心方向に移動すると、吸振体２の弾性変形部１４，１５が、架台１の対向面に沿って水平方向に拡径するように弾性変形し、これによって、架台１の、軸体５ａに沿った方向の振動が吸収される。
【００２３】
このとき、弾性変形部１４，１５が、架台１の対向面に沿って水平方向に拡径するように弾性変形することにより、各突片１７は、軸部５ａの周面から離れる方向に移動するので、突片１７と軸部５ａとの間に摩擦力は働かない。
【００２４】
次に、偏荷重ディスク等を高速再生することにより、基台４に対し架台１が水平方向に振動したときの振動吸収装置の働きについて、図３に基づいて説明する。
【００２５】
架台１が基台４に対して水平方向に振動した場合、架台１は基台４に対して相対的に水平方向に移動する。しかし、突片１７は、軸部５ａに最小のクリアランスｄを置いて弾性変形部１４，１５内周面に形成しているので、架台１が水平方向に振動したときであっても、突片１７の移動量は、軸部５ａと突片１７とのクリアランスｄとなり、従って、ディスクの高速再生時の架台１の水平方向の移動が最小限に抑えられる。
【００２６】
また、軸部５ａと突片１７とが当接した状態でも円滑に突片１７が摺動可能なように、取付け部１１の内周面から離れた位置である弾性変形部１４，１５内周面に形成して突片１７の長さを確保し、突片１７にスラスト方向に沿った弾性をもたせていることにより、軸部５ａと突片１７間の摩擦による摺動負荷を低減し、架台１の垂直方向の振動に対しても、その振動を遮断もしくは低減することが可能である。
【００２７】
以上のように、本発明の実施の形態によれば、架台１の軸部５ａの軸心方向に対する振動（移動）に対しては、吸振体２の弾性変形部１４，１５の弾性変形により吸振される。また、架台１の対向面に沿った水平方向の移動に対しては、突片１７が軸部５ａの周面に当接して弾性変形することで吸振される。
【００２８】
また、突片１７を、軸部５ａに最小のクリアランスｄを置いて取付け部１１から離間した弾性変形部１４，１５の内周面（吸振体２の最大外周の内周面）に形成しているので、吸振体２の弾性変形部１４，１５が圧縮方向に変形することにより、突片１７の先端は規制部材５の軸部５ａから離れる方向に移動するため、軸部５ａの外周面と突片１７の接触面における摺動負荷はない。以上のことから、コンパクトディスクの記録時および高速再生時の音飛びを排除もしくは著しく軽減することができる。
【００２９】
なお、上記実施の形態では、突片１７は、規制部材５の軸心５ａの放射方向に複数個形成したがこれに限定されるものではなく、規制部材５の周面を外嵌するように環状に形成してもよく、この場合も上記実施の形態と同様の作用効果を奏し得る。
【００３０】
さらに、上記実施の形態では、吸振体２を架台１に取付け、規制部材５の小径軸部５ｂを、基台４の取付け部４ａに取付けた場合を示したが、これに限定されるものではなく、吸振体２を基台４に取付け、規制部材を架台に取付けても同様の効果を奏することができる。
【００３１】
【発明の効果】
以上の説明から明らかなように、本発明は、基台または架台のいずれか一方に、基台および架台に発生する振動を吸収するための吸振体を設け、この吸振体に、基台または架台のいずれか一方に対向面に沿った方向の振動を吸収するための弾性変形自在なくびれ部を設け、このくびれ部の両側に、基台または架台をその両面側から挟み込むように、対向面に鉛直な方向の振動を吸収するための弾性変形自在な拡大部を設け、吸振体に、端部が基台または架台のうちの他方の対向面に嵌合されるとともに吸振用隙間を介して軸体を挿通し、両拡大部の内の少なくとも一方の内周面に、軸体の周面に向けて突出するとともに弾性変形自在な突起を設けているので、架台および基台の対向面に沿った方向の振動は、突起が軸体の周面に当接することで抑えられ、軸体の軸心に沿った方向の振動は、吸振体の弾性変形および突起が軸体の周面に当接して軸体の軸心方向に撓むことで吸収されるので、コンパクトディスクの記録時および高速再生時の音飛びを、排除もしくは著しく軽減することができる。
【図面の簡単な説明】
【図１】本発明の実施の形態を示す振動吸収装置の全体構成を示す断面図である。
【図２】同じく要部断面図である。
【図３】同じく作動状態を示す断面図である。
【図４】フローティング装置の分解斜視図である。
【図５】従来の振動吸収装置の全体構成を示す断面図である。
【図６】同じく要部断面図である。
【図７】同じく作動状態を示す断面図である。
【符号の説明】
２      吸振体
４      基台
４ａ    取付け部
５      規制部材
５ａ    軸部
５ｃ    係合部
６      コイルバネ
１１    取付け部
１２    中空部
１４    弾性変形部
１５    弾性変形部
１７    突片
２  吸振体
４  基台
４ａ  取付け部
５  規制部材
５ａ  軸部
５ｃ  係合部
６  コイルバネ
１０  摺動部材
１１  取付け部
１２  中空部
１４  弾性変形部
１５  弾性変形部
１７  突片
【図１】
0004033535.tif 000002
【図２】
0004033535.tif 000003
【図３】
0004033535.tif 000004
【図４】
0004033535.tif 000005
【図５】
0004033535.tif 000006
【図６】
0004033535.tif 000007
【図７】
0004033535.tif 000008